【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
少なくとも受光面側より、透光性表面カバー材、受光面側充填樹脂、光起電力素子、非受光面側充填樹脂、裏面カバー材を有してなる太陽電池モジュールにおいて、
前記非受光面側充填樹脂は２つの異なる樹脂材料からなり、該非受光面側充填樹脂のうち前記裏面カバー材に接する樹脂材料は前記受光面側充填樹脂より難燃性であることを特徴とする太陽電池モジュール。
【請求項２】
少なくとも受光面側より、透光性表面カバー材、受光面側充填樹脂、光起電力素子、非受光面側充填樹脂、裏面カバー材を有してなる太陽電池モジュールにおいて、
前記裏面カバー材に電気出力端子用の穴を有し、前記非受光面側充填樹脂のうち少なくとも該電気出力端子用の穴の近傍に設けられる充填樹脂は、前記受光面側充填樹脂より難燃性であることを特徴とする太陽電池モジュール。
【請求項３】
前記裏面カバー材は、不燃材であることを特徴とする請求項１または２に記載の太陽電池モジュール。
【請求項４】
前記不燃材は、金属板であることを特徴とする請求項３に記載の太陽電池モジュール。
【請求項５】
前記受光面側充填樹脂は、エチレン−酢酸ビニル系樹脂であることを特徴とする請求項１乃至４のいずれかに記載の太陽電池モジュール。
【請求項６】
少なくとも受光面側より、透光性表面カバー材、受光面側充填樹脂、光起電力素子、非受光面側充填樹脂、裏面カバー材を有してなる太陽電池モジュールの製造方法において、
前記非受光面側充填樹脂を２つの異なる樹脂材料で構成し、該非受光面側充填樹脂のうち前記裏面カバー材に接する部分には前記受光面側充填樹脂より難燃性である樹脂材料を用いることを特徴とする太陽電池モジュールの製造方法。
【請求項７】
少なくとも受光面側より、透光性表面カバー材、受光面側充填樹脂、光起電力素子、非受光面側充填樹脂、裏面カバー材を有してなる太陽電池モジュールの製造方法において、
前記裏面カバー材に電気出力端子用の穴を設け、前記非受光面側充填樹脂のうち少なくとも該電気出力端子用の穴の近傍に設けられる充填樹脂には前記受光面側充填樹脂より難燃性であるものを用いることを特徴とする太陽電池モジュール太陽電池モジュールの製造方法。
【請求項８】
前記裏面カバー材は、不燃材であることを特徴とする請求項６または７に記載の太陽電池モジュールの製造方法。
【請求項９】
前記不燃材は、金属板であることを特徴とする請求項８に記載の太陽電池モジュールの製造方法。
【請求項１０】
前記受光面側充填樹脂は、エチレン−酢酸ビニル系樹脂であることを特徴とする請求項６乃至９のいずれかに記載の太陽電池モジュールの製造方法。
【請求項１１】
少なくともその一部に可燃性の材料を有した下地材の外側に、請求項１乃至５のいずれかに記載の太陽電池モジュール複数枚を固定部材によって固定し、該複数枚の太陽電池モジュールの電気出力は、それぞれが並列もしくは直列に電気接続されてなることを特徴とする外囲体構造。
【請求項１２】
前記下地材は木製の野地板であり、前記請求項１乃至５いずれかに記載の太陽電池モジュール複数枚が屋根材として用いられ、その非受光面側に雨水を漏らさないように固定されていることを特徴とする請求項１１に記載の外囲体構造であるところの屋根。
【請求項１３】
請求項１乃至５のいずれかに記載の太陽電池モジュールと、該太陽電池モジュールに接続された電力変換装置とを有することを特徴とする発電装置。
【手続補正２】
【補正対象書類名】明細書
【補正対象項目名】００１７
【補正方法】変更
【補正の内容】
【００１７】
すなわち、本発明の太陽電池モジュールは、少なくとも受光面側より、透光性表面カバー材、受光面側充填樹脂、光起電力素子、非受光面側充填樹脂、裏面カバー材を有してなる太陽電池モジュールにおいて、前記非受光面側充填樹脂は２つの異なる樹脂材料からなり、該非受光面側充填樹脂のうち前記裏面カバー材に接する樹脂材料は前記受光面側充填樹脂より難燃性であることを特徴とする。
また、本発明の太陽電池モジュールは、少なくとも受光面側より、透光性表面カバー材、受光面側充填樹脂、光起電力素子、非受光面側充填樹脂、裏面カバー材を有してなる太陽電池モジュールにおいて、前記裏面カバー材に電気出力端子用の穴を有し、前記非受光面側充填樹脂のうち少なくとも該電気出力端子用の穴の近傍に設けられる充填樹脂は、前記受光面側充填樹脂より難燃性であることを特徴とする。
【手続補正３】
【補正対象書類名】明細書
【補正対象項目名】００１８
【補正方法】変更
【補正の内容】
【００１８】
また、本発明の太陽電池モジュールの製造方法は、少なくとも受光面側より、透光性表面カバー材、受光面側充填樹脂、光起電力素子、非受光面側充填樹脂、裏面カバー材を有してなる太陽電池モジュールの製造方法において、前記非受光面側充填樹脂を２つの異なる樹脂材料で構成し、該非受光面側充填樹脂のうち前記裏面カバー材に接する部分には前記受光面側充填樹脂より難燃性である樹脂材料を用いることを特徴とする。
また、本発明の太陽電池モジュールの製造方法は、少なくとも受光面側より、透光性表面カバー材、受光面側充填樹脂、光起電力素子、非受光面側充填樹脂、裏面カバー材を有してなる太陽電池モジュールの製造方法において、前記裏面カバー材に電気出力端子用の穴を設け、前記非受光面側充填樹脂のうち少なくとも該電気出力端子用の穴の近傍に設けられる充填樹脂には前記受光面側充填樹脂より難燃性であるものを用いることを特徴とする。
【手続補正４】
【補正対象書類名】明細書
【補正対象項目名】００６１
【補正方法】変更
【補正の内容】
【００６１】
（参考実施例１）
本参考実施例の特徴は、受光面側、非受光面側の充填樹脂の両方ともに、シリコーン樹脂を用いるが、非受光面側充填樹脂にのみ白金を含有させたことを特徴とする。その他特記しない部分については、実施態様例と同様である。
【手続補正５】
【補正対象書類名】明細書
【補正対象項目名】００６２
【補正方法】変更
【補正の内容】
【００６２】
図４は、本参考実施例の太陽電池モジュールの構成を示す断面図であり、これを参照して説明する。
【手続補正６】
【補正対象書類名】明細書
【補正対象項目名】００６４
【補正方法】変更
【補正の内容】
【００６４】
なお、本参考実施例のシリコーン樹脂は、実施態様例で用いる難燃性シリコーン樹脂に比べ、接着性に優れるので他の接着性に優れる充填樹脂を用いる必要がなく、光起電力素子２に接するように用いているものである。
【手続補正７】
【補正対象書類名】明細書
【補正対象項目名】００６５
【補正方法】変更
【補正の内容】
【００６５】
シリコーン樹脂に白金錯体を含有させた場合、黄変する場合がある。しかし、本参考実施例においては、受光面側の充填樹脂１９には白金の含有がなく黄変の心配は無い。一方、非受光面側の充填樹脂２０には白金の含有があるので、黄変の心配があるが、非受光面側であることにより、黄変により透光性が低下したとしても、光電変換能力に影響を与える心配はない。
【手続補正８】
【補正対象書類名】明細書
【補正対象項目名】００６７
【補正方法】変更
【補正の内容】
【００６７】
（実施例１）
本実施例の特徴は、電気出力端子用の穴の近傍のみに、白金を含有させたシリコーン樹脂を設けることを特徴とする。その他、特記しない部分については、参考実施例１と同様である。
【手続補正９】
【補正対象書類名】明細書
【補正対象項目名】００６９
【補正方法】変更
【補正の内容】
【００６９】
２０は参考実施例１で用いたと同様のシリコーン樹脂に白金を含有させたもので、電気出力端子用の穴の近傍（穴の周縁より外側へ５ｃｍのところまで）に設ける。他の充填樹脂１９は、参考実施例１で用いたものと同様、白金を含有しないシリコーン樹脂である。
【手続補正１０】
【補正対象書類名】明細書
【補正対象項目名】００７０
【補正方法】変更
【補正の内容】
【００７０】
本実施例においては、金属製補強板７の裏面側に難燃化ポリエチレンフォーム２１を１．５ｍｍの厚さで図５に示すように貼り付けている。この難燃化ポリエチレンフォーム２１の断熱効果により、参考実施例１に比べ本例は太陽電池モジュール裏面側への熱の伝わりが低減される。そこで、熱の伝導が容易に行われたり、炎が延びることが懸念される電気出力端子用の穴の近傍のみに、シリコーン樹脂に白金を含有させて難燃化した樹脂を設けることで、少ない難燃化樹脂量で大きな効果をあげることができる。
【手続補正１１】
【補正対象書類名】明細書
【補正対象項目名】００７２
【補正方法】変更
【補正の内容】
【００７２】
（参考実施例２）
本参考実施例は、非受光面側の充填樹脂に塩化ビニル樹脂を用いたことを特徴とし、その他特記しない点については、実施態様例と同様である。
【手続補正１２】
【補正対象書類名】明細書
【補正対象項目名】００７３
【補正方法】変更
【補正の内容】
【００７３】
本参考実施例の非受光面側充填樹脂には、塩化ビニル樹脂を５５０μｍの厚さで設けた以外は、可燃物である表面保護フィルム及び表面側充填樹脂は実施態様例と同一とした。
【手続補正１３】
【補正対象書類名】明細書
【補正対象項目名】００７９
【補正方法】変更
【補正の内容】
【００７９】
（参考実施例３）
本参考実施例は、非受光面側の充填樹脂に塩化ビニル樹脂を用い、かつ、さらに難燃性を向上させるために、水酸化アルミニウムを塩化ビニル樹脂に添加したことを特徴とし、その他特記しない点については、参考実施例２と同様である。
【手続補正１４】
【補正対象書類名】明細書
【補正対象項目名】００８０
【補正方法】変更
【補正の内容】
【００８０】
これにより、非受光面側の充填樹脂の難燃性がさらに向上し、参考実施例２に比べさらに防火性能の優れた太陽電池モジュールを得ることができる。
【手続補正１５】
【補正対象書類名】明細書
【補正対象項目名】図面の簡単な説明
【補正方法】変更
【補正の内容】
【図面の簡単な説明】
【図１】
本発明の実施態様例の太陽電池モジュールの構成を示す断面図。
【図２】
本発明の太陽電池モジュールを建材として設置施工した様子を示す、屋根の斜視図。
【図３】
本発明の太陽電池モジュールを屋根に設置施工した様子を示す、図２中の切断線Ａ−Ａ’での断面図。
【図４】
参考実施例１の太陽電池モジュールの構成を示す断面図。
【図５】
本発明の実施例１の太陽電池モジュールの構成を示す断面図。
【符号の説明】
１  太陽電池モジュール
２  光起電力素子
３  受光面側充填樹脂（ＥＶＡ樹脂）
４  フッ素樹脂フィルム
５  非受光面側充填樹脂（ＥＶＡ樹脂）
６  非受光面側充填樹脂（難燃性シリコーン樹脂）
７  金属製補強板
８  電気出力端子箱
９  接着剤
１０  出力電気ケーブル
１１  立ち上り部
１２  野地板
１３  垂木
１４  吊り子
１５、１７  ドリルビス
１６  固定金物
１８  化粧カバー材
１９  受光面側充填樹脂（シリコーン樹脂）
２０  非受光面側充填樹脂（白金含有のシリコーン樹脂）
２１  難燃性ポリエチレンフォーム